(57)【要約】【課題】スケルチの誤動作を防止する。【解決手段】スケルチ制御部１９のＢＰＦ２１−１〜２１−ｎの通過帯域は互いに異なる。スケルチゲート１６が開いている場合、コントローラ２４は、整流器２３−１〜２３−ｎから出力されたノイズ成分の整流電圧がすべて予め設定された上限値を超えた場合に、スケルチゲート１６を閉じる。また、スケルチゲート１６が閉じている場合、コントローラ２４は、ノイズ成分の整流電圧がすべて下限値未満になった場合にスケルチゲート１６を開く。【選択図】　図１
2004056183.tif 000002
【特許請求の範囲】
【請求項１】
変調信号を検波した検波信号のノイズ成分を整流した整流電圧に従って、前記検波信号の出力経路を開閉するスケルチゲートを制御するスケルチ制御装置において、
前記検波信号を濾波して互いに異なる帯域のノイズ成分を抽出する複数のノイズ成分抽出手段と、
前記複数のノイズ成分抽出手段が抽出した各ノイズ成分を整流し、整流した各ノイズ成分の整流電圧を予め設定された閾値と比較し、前記各ノイズ成分の整流電圧が閾値以上か否かを判定する判定手段と、
前記判定手段がすべてのノイズ成分の整流電圧が閾値以上と判定すると、前記検波信号の出力を阻止するように、開いている前記スケルチゲートを閉じ、前記判定手段がすべてのノイズ成分の整流電圧が閾値未満と判定すると、前記検波信号が出力されるように、閉じている前記スケルチゲートを開くように制御する制御手段と、を備えた、
ことを特徴とするスケルチ制御装置。
【請求項２】
前記複数のノイズ成分抽出手段のうちの少なくとも１つは、ベースバンド信号の第ｍ（ｍ≧１）次高調波と第（ｍ±１）次高調波との間の周波数を有するノイズ成分を抽出するものである、
ことを特徴とする請求項１に記載のスケルチ制御装置。
【請求項３】
前記複数のノイズ成分抽出手段は、妨害波の通過を阻止する帯域特性を有するものである、
ことを特徴とする請求項１又は２に記載のスケルチ制御装置。
【請求項４】
変調信号を検波した検波信号のノイズ成分の整流電圧に応じて、前記検波信号の出力経路を開閉するスケルチゲートを制御するスケルチ制御方法であって、
前記変調信号を検波した検波信号を濾波して互いに異なる帯域のノイズ成分を抽出するステップと、
前記抽出された各ノイズ成分を整流し、整流した各ノイズ成分の整流電圧を予め設定された閾値と比較し、前記各ノイズ成分の整流電圧が閾値以上か否かを判別するステップと、
すべてのノイズ成分の整流電圧が閾値以上と判定すると、開いている前記スケルチゲートを閉じ、すべてのノイズ成分の整流電圧が閾値未満と判定すると、閉じている前記スケルチゲートを開くように制御するステップと、を備えた、
ことを特徴とするスケルチ制御方法。
【発明の詳細な説明】
【０００１】
【発明の属する技術分野】
本発明は、スケルチ制御装置及びスケルチ制御方法に関する。
【０００２】
【従来の技術】
ＦＭ（Ｆｒｅｑｕｅｎｃｙ　Ｍｏｄｕｌａｔｉｏｎ）変調信号を復調するＦＭ復調装置では、ＦＭ復調信号が受信されていない間に増大する雑音を抑制するため、スケルチ制御装置が用いられている。
【０００３】
スケルチ制御装置は、復調信号の高域ノイズ成分を通過させるＢＰＦ（Ｂａｎｄ　Ｐａｓｓ　Ｆｉｌｔｅｒ）と、このＢＰＦを通過した帯域成分を増幅する増幅器と、増幅器により増幅された帯域成分を整流する整流回路とからなる。
【０００４】
そして、中心周波数が２０〜３０ｋＨｚの範囲のＢＰＦに、検波された信号を通過させ、高域ノイズ成分のみを抽出して高域ノイズ成分を整流する。ノイズを整流した整流電圧は、ＲＦ（Ｒａｄｉｏ　Ｆｒｅｑｕｅｎｃｙ）信号の信号強度が高くなるに従って下がる。スケルチ装置は、この整流電圧が予め設定された閾値を超えると、スケルチゲートを閉じ、再生装置としてのスピーカから雑音が再生されるのを阻止する。
【０００５】
【発明が解決しようとする課題】
このスケルチ制御で問題となるのは、ブロッキングと大入力妨害である。
ブロッキングは、音声信号をスピーカに出力すべきところ、誤ってスケルチを閉じてしまうことをいう。ブロッキングは、ベースバンド信号の高調波がノイズ抽出用ＢＰＦを通過し、この高調波が整流電圧のレベルを上昇させて、ＲＦ信号の信号強度が下がった場合と同様の状態にさせてしまうことにより発生する。
【０００６】
大入力妨害とは、音声信号のスピーカからの再生を停止すべきところ、近隣の妨害波によって、誤ってスケルチを開いてしまい、再生動作をしてしまうことをいう。大入力妨害は、近隣の妨害波によって、特に高域側のノイズ成分が減少することにより、ＲＦ信号の信号強度が上がった場合と同様の状態にさせてしまうことにより発生する。
【０００７】
ブロッキングを改善するためには、ノイズ抽出用ＢＰＦの中心周波数を上げ、ベースバンド信号の高調波による影響を避ければよい。また、大入力妨害を改善するためには、ノイズ抽出用ＢＰＦの中心周波数を下げてノイズ成分の減少による影響を避ければよい。
【０００８】
このように、ブロッキングと大入力妨害とは、二律背反の関係にあり、ブロッキングの影響を避けようとしてＢＰＦの周波数を上げると大入力妨害に対して弱くなり、また、大入力妨害に対して強くするためにＢＰＦの周波数を下げるとブロッキングに弱くなってしまう。
【０００９】
本発明は、このような従来の問題点に鑑みてなされたもので、誤動作を防止することを可能とするスケルチ制御装置及びスケルチ制御方法を提供することを目的とする。
【００１０】
【課題を解決するための手段】
この目的を達成するため、本発明の第１の観点に係るスケルチ制御装置は、
変調信号を検波した検波信号のノイズ成分を整流した整流電圧に従って、前記検波信号の出力経路を開閉するスケルチゲートを制御するスケルチ制御装置において、
前記検波信号を濾波して互いに異なる帯域のノイズ成分を抽出する複数のノイズ成分抽出手段と、
前記複数のノイズ成分抽出手段が抽出した各ノイズ成分を整流し、整流した各ノイズ成分の整流電圧を予め設定された閾値と比較し、前記各ノイズ成分の整流電圧が閾値以上か否かを判定する判定手段と、
前記判定手段がすべてのノイズ成分の整流電圧が閾値以上と判定すると、前記検波信号の出力を阻止するように、開いている前記スケルチゲートを閉じ、前記判定手段がすべてのノイズ成分の整流電圧が閾値未満と判定すると、前記検波信号が出力されるように、閉じている前記スケルチゲートを開くように制御する制御手段と、を備えたものである。
【００１１】
前記複数のノイズ成分抽出手段のうちの少なくとも１つは、ベースバンド信号の第ｍ（ｍ≧１）次高調波と第（ｍ±１）次高調波との間の周波数を有するノイズ成分を抽出するものであることが好ましい。
【００１２】
前記複数のノイズ成分抽出手段は、妨害波の通過を阻止する帯域特性を有するものであることが好ましい。
【００１３】
本発明の第２の観点に係るスケルチ制御方法は、
変調信号を検波した検波信号のノイズ成分の整流電圧に応じて、前記検波信号の出力経路を開閉するスケルチゲートを制御するスケルチ制御方法であって、
前記変調信号を検波した検波信号を濾波して互いに異なる帯域のノイズ成分を抽出するステップと、
前記抽出された各ノイズ成分を整流し、整流した各ノイズ成分の整流電圧を予め設定された閾値と比較し、前記各ノイズ成分の整流電圧が閾値以上か否かを判別するステップと、
すべてのノイズ成分の整流電圧が閾値以上と判定すると、開いている前記スケルチゲートを閉じ、すべてのノイズ成分の整流電圧が閾値未満と判定すると、閉じている前記スケルチゲートを開くように制御するステップと、を備えたものである。
【００１４】
【発明の実施の形態】
以下、本発明の実施の形態に係るスケルチ制御装置を図面を参照して説明する。
尚、本実施の形態では、スケルチ制御装置をＦＭ復調装置に適用した場合について説明する。
本実施の形態に係るＦＭ復調装置の構成を図１に示す。
本実施の形態に係るＦＭ復調装置は、ＦＭ変調信号を復調するものであり、検波器１１と、Ａ／Ｄ変換器１２と、ＢＰＦ１３と、ディエンファシス回路１４と、Ｄ／Ａ変換器１５と、スケルチゲート１６と、ＡＦアンプ１７と、スピーカ１８と、スケルチ制御部１９と、を備えている。
【００１５】
検波器１１は、ＦＭ変調信号を復調するものである。検波器１１は、クォドラチュア（ｑｕａｄｒａｔｕｒｅ）検波器によって構成され、図２に示すように、リミッタアンプ３１と、π／２移相器３２と、乗算器３３と、ＬＰＦ３４と、からなる。
【００１６】
リミッタアンプ３１は、振幅変動を取り除くため、ＦＭ波の振幅に上限を設定してＦＭ波を方形波に波形成形するためのものである。
π／２移相器３２は、リミッタアンプ３１によって波形成形された方形波をπ／２だけ移相するものである。
【００１７】
乗算器３３は、リミッタアンプ３１によって波形成形された方形波とπ／２移相器３２によってπ／２だけ移相した方形波とを乗算することにより、信号波を取り出すものである。
ＬＰＦ３４は、乗算器３３が取り出した信号波の低周波成分を抽出するものである。
【００１８】
図１に戻り、Ａ／Ｄ変換器１２は、検波器１１が復調したアナログの復調信号をデジタル信号に変換するものである。
【００１９】
ＢＰＦ１３は、Ａ／Ｄ変換器１２から出力されたデジタルの復調信号の帯域を、ＡＦ（Ａｕｄｉｏ　Ｆｒｅｑｕｅｎｃｙ）周波数（例えば、３００Ｈｚ〜５ｋＨｚ）の帯域に制限するためのフィルタである。
ディエンファシス回路１４は、ＢＰＦ１３から出力された信号成分のうち、強調された周波数成分のレベルを抑圧して元の周波数特性に戻すように補正するためのものである。
【００２０】
Ｄ／Ａ変換器１５は、デジタル信号をアナログ信号に変換するためのものである。
スケルチゲート１６は、Ｄ／Ａ変換器１５とＡＦアンプ１７との間の出力経路を開いたり閉じたりするためのものである。スケルチゲート１６が開くとＤ／Ａ変換器１５とＡＦアンプ１７との間の出力経路が形成され、スケルチゲート１６が閉じると、形成された出力経路は遮断される。
【００２１】
ＡＦアンプ１７は、Ｄ／Ａ変換器１５によってアナログ信号に変換された可聴周波信号を増幅するものである。
スピーカ１８は、ＡＦアンプ１７によって増幅された可聴周波信号を音声として出力するものである。
【００２２】
スケルチ制御部１９は、Ａ／Ｄ変換器１２によって変換されたデジタルの復調信号のうち、高域のノイズ成分を抽出し、その整流電圧に基づいてスケルチゲート１６の開閉を制御するものであり、ＢＰＦ２１−１〜２１−ｎと、増幅器２２−１〜２２−ｎと、整流器２３−１〜２３−ｎと、コントローラ２４と、からなる。
【００２３】
ＢＰＦ２１−１〜２１−ｎは、互いに異なる通過帯域特性を有するフィルタである。
増幅器２２−１〜２２−ｎは、ＢＰＦ２１−１〜２１−ｎから、それぞれ出力されたノイズ成分の強度を増幅するためのものである。
【００２４】
整流器２３−１〜２３−ｎは、増幅器２２−１〜２２−ｎからぞれぞれ出力されたノイズ成分を整流するためのものである。
【００２５】
コントローラ２４は、ＭＰＵ（Ｍｉｃｒｏ　Ｐｒｏｃｅｓｓｉｎｇ　Ｕｎｉｔ）、ＲＯＭ（Ｒｅａｄ　ＯｎｌｙＭｅｍｏｒｙ）、ＲＡＭ（Ｒａｎｄｏｍ　Ａｃｃｅｓｓ　Ｍｅｍｏｒｙ）等を備え、整流器２３−１〜２３−ｎから出力されたノイズ成分の整流電圧に基づいて、スケルチゲート１６の開閉制御を行うものである。尚、ノイズ成分の整流電圧の高低を判別するための閾値は予め設定され、コントローラ２４は、この閾値をメモリ（図示せず）に記憶する。
【００２６】
尚、ＢＰＦ１３と、ディエンファシス回路１４と、スケルチ制御部１９と、をＤＳＰ（Ｄｉｇｉｔａｌ　Ｓｉｇｎａｌ　Ｐｒｏｃｅｓｓｏｒ）で構成することもできる。
【００２７】
次に本実施の形態に係るＦＭ復調装置の動作を説明する。
検波器１１は、ＦＭ変調信号を復調する。即ち、リミッタアンプ３１は、ＦＭ波の上限を設定してＦＭ変調信号を方形波に波形成形する。π／２移相器３２は、リミッタアンプ３１によって波形成形された方形波をπ／２だけ移相する。乗算器３３は、リミッタアンプ３１によって波形成形された方形波とπ／２移相器３２によってπ／２だけ移相した方形波とを乗算することにより、信号波を取り出す。ＬＰＦ３４は、乗算器３３が取り出した信号波の低周波成分を抽出する。
【００２８】
Ａ／Ｄ変換器１２は、検波器１１が復調した信号をデジタル信号に変換する。ＢＰＦ１３は、Ａ／Ｄ変換器１２から出力されたデジタルの復調信号の成分のうち、強度を補正すべき帯域の周波数成分のみを通過させる。
【００２９】
ディエンファシス回路１４は、ＢＰＦ１３から出力された信号成分のうち、強調された周波数成分のレベルを抑圧して元の周波数特性に戻すように補正する。
【００３０】
Ｄ／Ａ変換器１５は、デジタル信号をアナログ信号に変換する。
ＡＦアンプ１７は、スケルチゲート１６を通過した信号を増幅する。
スピーカ１８は、ＡＦアンプ１７によって増幅された可聴周波信号を音声として出力する。
【００３１】
スケルチ制御部１９は、そのノイズ成分の整流電圧に基づいてスケルチゲート１６を制御する。まず、ＢＰＦ２１−１〜２１−ｎは、Ａ／Ｄ変換器１２によって変換されたデジタルの復調信号を濾波して、それぞれ、互いに帯域が異なるノイズ成分を抽出する。
【００３２】
増幅器２２−１〜２２−ｎは、ＢＰＦ２１−１〜２１−ｎから、それぞれ出力されたノイズ成分を増幅する。整流器２３−１〜２３−ｎは、増幅器２２−１〜２２−ｎからぞれぞれ出力されたノイズ成分を整流し、それぞれ、整流電圧（値）Ｖ１〜Ｖｎのノイズ成分を出力する。
【００３３】
ＲＦ信号が微弱である場合、あるいはＲＦ信号が全くない場合、検波器１１から出力された検波信号は、図３（ａ）に示すような電圧対周波数特性を有する。
【００３４】
ＢＰＦ２１−１〜２１−ｎを、ＢＰＦ２１−１〜２１−３の３つとして、それぞれの通過帯域が、図３（ｂ）〜図３（ｄ）に示すように、周波数ｆ（ｐ−１），ｆ（ｐ），ｆ（ｐ＋１）を中心とする帯域に設定されているとする。増幅器２２−１〜２２−３は、ＢＰＦ２１−１〜２１−３を通過したノイズ成分を、それぞれ、増幅する。整流器２３−１〜２３−３が整流すると、整流器２３−１〜２３−３が整流した整流電圧は、すべて、予め設定された閾値を超える。
【００３５】
一方、図４（ａ）に示すように、検波信号に、検波器１１の特性による周波数ｆ（ｍ−１），ｆ（ｍ），ｆ（ｍ＋１）のノイズ成分が含まれている場合に、図４（ｂ）〜（ｄ）に示すような通過帯域特性を有するＢＰＦ２１−１〜２１−３がこの検波信号を濾波したとする。
【００３６】
検波信号に、周波数ｆ（ｍ−１），ｆ（ｍ），ｆ（ｍ＋１）のノイズ成分が含まれるのは、検波器１１のリミッタアンプ３１とＬＰＦ３４とによる。即ち、リミッタアンプ３１は、方形波を生成し、ＬＰＦ３４は、乗算器３３が出力した電圧レベルを積分するため、検波信号に、ＬＰＦ３４が生成した鋸波状の信号が重畳する場合がある。この場合、周波数ｆ（ｍ−１），ｆ（ｍ），ｆ（ｍ＋１）のノイズ成分がベースバンド信号の高調波となって検波器１１から出力される。この周波数ｆ（ｍ−１），ｆ（ｍ），ｆ（ｍ＋１）のノイズ成分は、ブロッキングの原因にもなる。
【００３７】
この場合、周波数ｆ（ｍ）がＢＰＦ２１−２の通過帯域ｆ（ｐ）に含まれ、周波数ｆ（ｍ−１），ｆ（ｍ＋１）は、ＢＰＦ２１−１〜ＢＰＦ２１−３の通過帯域に含まれないとする。すると、ＢＰＦ２１−２だけが、図４（ｅ）に示すような周波数ｆ（ｍ）のノイズ成分を出力する。増幅器２２−１〜２２−３は、ＢＰＦ２１−１〜２１−３から、それぞれ出力されたノイズ成分を増幅し、整流器２３−１〜２３−３が、増幅されたノイズ成分を整流すると、周波数ｆ（ｍ）のノイズ成分の整流電圧のみが閾値を超える。
【００３８】
コントローラ２４は、整流器２３−１〜２３−ｎから出力されたノイズ成分の整流電圧Ｖ１〜Ｖｎを、予め設定された閾値と比較する。
【００３９】
尚、スケルチゲート１６の開閉にヒステリシスを設けることもできる。この場合、閾値として、上限値Ｖｍａｘと下限値Ｖｍｉｎとを設ける。例えば、図５に示すように、スケルチレベルを３として、上限値Ｖｍａｘと下限値Ｖｍｉｎとを閾値にする。上限値Ｖｍａｘは、開いているスケルチゲート１６を閉じるための閾値であり、下限値Ｖｍｉｎは、閉じているスケルチゲート１６を開くための閾値である。ノイズ成分の整流電圧Ｖ１〜Ｖｎを、上限値Ｖｍａｘと下限値Ｖｍｉｎと比較することにより、ヒステリシスが形成される。
【００４０】
また、スケルチレベルは、アンテナ入力（整流電圧）に応じてスケルチゲート１６を開閉するレベルを調整するためのものであり、ここでは、アンテナ入力が−１２０ｄＢｍ〜−１１０の間に１５段階のスケルチレベルが設定されている。このスケルチレベルは、アンテナ入力に応じて適宜選択され、スケルチレベルに応じて上限値Ｖｍａｘ、下限値Ｖｍｉｎを設定することもできる。
【００４１】
コントローラ２４は、ノイズ成分の整流電圧Ｖ１〜Ｖｎを上限値Ｖｍａｘ、下限値Ｖｍｉｎと比較した結果に基づいてスケルチゲート１６の開閉を制御する。
【００４２】
この動作を図６に示すフローチャートに基づいて説明する。
コントローラ２４は、スケルチゲート１６が開いているか否かを判定する（ステップＳ１１）。
【００４３】
スケルチゲート１６が開いていると判定した場合（ステップＳ１１においてＹｅｓ）、コントローラ２４は、ＢＰＦ２１−１を通過したノイズ成分の整流電圧Ｖ１を整流器２３−１から取り込む（ステップＳ１２）。
【００４４】
コントローラ２４は、取り込んだ整流電圧Ｖ１と上限値Ｖｍａｘとを比較し、整流電圧Ｖ１が閾値Ｖｍａｘを超えているか否かを判別する（ステップＳ１３）。
【００４５】
整流電圧Ｖ１が上限値Ｖｍａｘを超えている（Ｖｍａｘ＜Ｖ１）と判定した場合（ステップＳ１３においてＹｅｓ）、コントローラ２４は、同じようにして、それぞれ、ＢＰＦ２１−２〜２１−ｎを通過したノイズ成分の整流電圧Ｖ２〜Ｖｎを、順次、整流器２３−２〜２３−ｎから取り込む（ステップＳ１４）。
【００４６】
コントローラ２４は、取り込んだ整流電圧Ｖ２〜Ｖｎについても、順次、ステップＳ１３と同じように比較判定を行う（ステップＳ１５）。
【００４７】
そして、コントローラ２４は、取り込んだ整流電圧Ｖ２〜Ｖｎが、すべて上限値Ｖｍａｘを超えている（Ｖｍａｘ＜Ｖ２〜Ｖｎ）と判定した場合（ステップＳ１５においてＹｅｓ）、スケルチゲート１６を閉じる（ステップＳ１６）。
【００４８】
一方、取り込んだ整流電圧Ｖ１〜Ｖｎのうち、少なくとも１つは上限値Ｖｍａｘ以下である（Ｖｍａｘ≧Ｖ１，・・・又はＶｍａｘ≧Ｖｎ）と判定した場合（ステップＳ１３，１５においてＮｏ）、コントローラ２４は、このスケルチゲート１６を開いたまま、この処理を終了させる。
【００４９】
次に、スケルチゲート１６が閉じていると判定した場合（ステップＳ１１においてＮｏ）、コントローラ２４は、ＢＰＦ２１−１を通過したノイズ成分の整流電圧Ｖ１を整流器２３−１から取り込む（ステップＳ１７）。
【００５０】
コントローラ２４は、取り込んだ整流電圧Ｖ１と下限値Ｖｍｉｎとを比較し、整流電圧Ｖ１が下限値Ｖｍｉｎ未満であるか否かを判定する（ステップＳ１８）。
【００５１】
整流電圧Ｖ１が下限値Ｖｍｉｎ未満である（Ｖｍｉｎ＞Ｖ１）と判定した場合（ステップＳ１８においてＹｅｓ）、コントローラ２４は、ＢＰＦ２１−２を通過した整流電圧Ｖ２〜Ｖｎを、順次、整流器２３−２〜２３−ｎから取り込む（ステップＳ１９）。
【００５２】
コントローラ２４は、取り込んだ整流電圧Ｖ２〜Ｖｎについても、順次、ステップＳ１８と同じように比較判定を行う（ステップＳ２０）。
【００５３】
取り込んだ整流電圧Ｖ２〜Ｖｎが、すべて下限値Ｖｍｉｎ未満である（Ｖｍｉｎ＞Ｖ２〜Ｖｎ）と判定した場合（ステップＳ２０においてＹｅｓ）、コントローラ２４は、スケルチゲート１６を開く（ステップＳ２１）。
【００５４】
一方、取り込んだ整流電圧Ｖ１〜Ｖｎのうち、少なくとも１つは下限値Ｖｍａｘ以上である（Ｖｍｉｎ≦Ｖ１，・・・又はＶｍｉｎ≦Ｖｎ）と判定した場合（ステップＳ１８，２０においてＮｏ）、コントローラ２４は、スケルチゲート１６を閉じたまま、この処理を終了させる。
【００５５】
次に、スケルチ制御部１９の動作を具体的に説明する。
まず、ＢＰＦ２１−１〜２１−ｎの通過帯域を設定する。
ＢＰＦ２１−１〜２１−ｎの通過帯域は、図７に示すように、ＡＦ周波数の第９高調波（ｆ９）の帯域までとする。これは、ＡＦ周波数の第９高調波よりも高い帯域では、高調波はブロッキングが起きない程度に減衰するからである。
【００５６】
また、デジタル信号処理を行う際の実施形態として、Ａ／Ｄ変換器１２のサンプリング周波数ｆｓを３８．４ｋＨｚとした場合、ＢＰＦ２１−１〜２１−ｎの通過帯域の上限を１９．２（＝ｆｓ×０．５）ｋＨｚとすることが望ましい。
【００５７】
また、大入力妨害波の周波数は、１ｋＨｚ程度であり、大入力妨害波の影響を受けないようにするため、ＢＰＦ２１−１〜２１−ｎの通過帯域の下限を２．０ｋＨｚとする。これにより、ＢＰＦ２１−１〜２１−ｎが妨害波の通過を阻止する。
【００５８】
この範囲で、検波信号に検波器１１の特性によって発生した高調波が含まれていたとしても、ＢＰＦ２１−１〜２１−ｎのうちの少なくとも１つが、この高調波の通過を阻止するように、ＢＰＦ２１−１〜２１−ｎの通過帯域が設定される。
【００５９】
例えば、検波信号のＡＦ周波数が３．８ｋＨｚであるとする。ＡＦ周波数３．８ｋＨｚの高調波は、図７に示すように、７．６ｋＨｚ〜３４．２ｋＨｚである。
【００６０】
ここで、ＢＰＦ２１−１〜２１−ｎのうち、ＢＰＦ２１−１とＢＰＦ２１−２とを用いることとし、ＢＰＦ２１−１の通過帯域を１８．５〜１９．０ｋＨｚに設定するものとする。通過帯域の幅を０．５ｋＨｚ程度にするのは、通過帯域の幅を広くすると、ＢＰＦ２１−１とＢＰＦ２１−２との通過帯域が重複してしまい、コントローラ２４が誤判定してしまうからである。
【００６１】
ＢＰＦ２１−１の通過帯域がこのように設定された場合、ＡＦ周波数３．８ｋＨｚの第５高調波ｆ５は、ＢＰＦ２１−１を通過し、その整流電圧のレベルは閾値を超えてしまう。このため、ＢＰＦ２１−２の通過帯域は、ＡＦ周波数３．８ｋＨｚの検波信号の高調波７．６ｋＨｚ〜３４．２ｋＨｚを含まないように設定される。これは、検波信号に検波器１１の特性によって発生した高調波が含まれていることによる誤動作を防止するためである。
【００６２】
具体的には、ＢＰＦ２１−２の通過帯域を、７．６ｋＨｚ〜３４．２ｋＨｚの各周波数の間、例えば、１１．４ｋＨｚと１５．２ｋＨｚとの間に設定する。このようにＢＰＦ２１−２の通過帯域を設定すれば、ＡＦ周波数３．８ｋＨｚの検波信号の高調波は、ＢＰＦ２１−２を通過しないことになる。
【００６３】
尚、通過帯域が離れていると、その間のＡＦ周波数の高調波を抽出することができなくなる。また、図７に示すように、もし、ＢＰＦ２１−２の通過帯域を１５．０〜１５．５ｋＨｚにして、ＡＦ周波数３．０ｋＨｚの第５高調波（ｆ５＝１５．０ｋＨｚ）を抽出しようとすると、この高調波だけでなくＡＦ周波数３．８ｋＨｚの第４高調波（ｆ４＝１５．２ｋＨｚ）もＢＰＦ２１−２を通過してしまう。従って、ＢＰＦ２１−１とＢＰＦ２１−２との通過帯域をできるだけ近づけるようにする。これより、ＢＰＦ２１−２の通過帯域は、１７．０〜１７．５ｋＨｚに設定される。
【００６４】
このようにＢＰＦ２１−１とＢＰＦ２１−２との通過帯域が設定されると、ＢＰＦ２１−１は、図７に示すように、同じＡＦ周波数の高調波の通過を阻止することになる。
【００６５】
コントローラ２４は、このように帯域特性が設定されたＢＰＦ２１−１とＢＰＦ２１−２とをそれぞれ通過した高調波の整流電圧に基づいて、スケルチゲート１６の開閉を制御する。
【００６６】
ＲＦ信号の強度が微弱である場合、あるいは全くＲＦ信号がない場合、図８に示すように、ノイズ成分は、ＢＰＦ２１−１とＢＰＦ２１−２とを、それぞれ、通過する。このノイズ成分を増幅して整流すると、その整流電圧は、いずれも上限値Ｖｍａｘを超える。いずれの整流電圧も上限値Ｖｍａｘを超えた場合、コントローラ２４は、ＲＦ信号の強度が微弱であるか、あるいは全くＲＦ信号がないと判定してスケルチゲート１６を閉じる。
【００６７】
一方、この検波信号に検波器１１の特性による高調波が含まれている場合、図９に示すように、ＡＦ周波数３．８ｋＨｚの第５高調波ｆ５である１９．０ｋＨｚの高調波はＢＰＦ２１−１を通過する。そして、ＢＰＦ２１−１から出力される高調波の整流電圧は、上限値Ｖｍａｘを超える。しかし、ＢＰＦ２１−１から出力される高調波の電圧はほとんど零になる。このため、コントローラ２４は、ＢＰＦ２１−１を通過した高調波は、検波器１１の特性による高調波であると判定し、スケルチゲート１６を開いたままにしておく。従って、ブロッキングが回避され、スケルチの誤動作が防止される。
【００６８】
以上説明したように、本実施の形態によれば、ｎ個のＢＰＦ２１−１〜２１−ｎを設けた。そしてコントローラ２４は、ＢＰＦ２１−１〜ＢＰＦ２１−ｎを通過したノイズ成分のすべての整流電圧が上限値Ｖｍａｘを超えた場合にのみ、閉じているスケルチゲート１６を開き、すべての整流電圧が下限値Ｖｍｉｎ未満になった場合にのみ開いているスケルチゲート１６を閉じるようにした。
【００６９】
従って、ＲＦ信号があり、検波器１１の特性によって発生する高調波が検波信号に含まれていたとしても、スケルチの誤動作を防止することができる。
【００７０】
また、ＢＰＦ２１−１〜ＢＰＦ２１−ｎの通過帯域は、妨害波の通過を阻止する帯域となるように設定されるため、妨害波の影響を受けることもない。従って、スケルチブロッキングと大入力妨害という２つの問題を同時に改善することができる。
【００７１】
尚、本発明を実施するにあたっては、種々の形態が考えられ、上記実施の形態に限られるものではない。
例えば、上記実施の形態では、スケルチ制御装置をＦＭ復調装置に適用した場合について説明した。しかし、これに限られるものではない。即ち、ＡＭ（Ａｍｐｌｉｔｕｄｅ　Ｍｏｄｕｌａｔｉｏｎ）復調装置、ＰＭ（Ｐｈａｓｅ　Ｍｏｄｕｌａｔｉｏｎ）復調装置についても、このスケルチ制御装置を適用することができ、また、信号を符号化パルスにしたディジタル通信についても適用することができる。
【００７２】
本実施の形態は、デジタル信号処理の場合に限られるものではなく、検波器１１から出力されたアナログ信号を、そのまま処理することもできる。この場合、Ａ／Ｄ変換器１２、Ｄ／Ａ変換器１５は不要となる。
【００７３】
【発明の効果】
以上説明したように、本発明によれば、誤動作を防止することができる。
【図面の簡単な説明】
【図１】本発明の実施の形態に係るスケルチ装置の構成を示すブロック図である。
【図２】図１の検波器の構成を示すブロック図である。
【図３】図１のスケルチ制御部の動作を示す説明図である。
【図４】図１のスケルチ制御部の動作を示す説明図である。
【図５】図１のスケルチ制御部のスケルチレベルを示す説明図である。
【図６】図１のスケルチ制御部の動作を示すフローチャートである。
【図７】図１のスケルチ制御部のＡＦ周波数とその高調波及びＢＰＦの特性の設定を示す説明図である。
【図８】ＲＦ信号が微弱である場合、あるいはＲＦ信号がない場合のスケルチ制御部の動作を示す説明図である。
【図９】ＲＦ信号に検波器の特性による高調波が含まれている場合のスケルチ制御部の動作を示す説明図である。
【符号の説明】
１１　検波器
１６　スケルチゲート
１９　スケルチ制御部
２１−１〜２１−ｎ　ＢＰＦ
２２−１〜２２−ｎ　増幅器
２３−１〜２３−ｎ　整流器
【図１】
2004056183.tif 000003
【図２】
2004056183.tif 000004
【図３】
2004056183.tif 000005
【図４】
2004056183.tif 000006
【図５】
2004056183.tif 000007
【図６】
2004056183.tif 000008
【図７】
2004056183.tif 000009
【図８】
2004056183.tif 000010
【図９】
2004056183.tif 000011